(57)【要約】【課題】  配線盤内における光コードの取り回しを行い易くすることができるスプリッタモジュールを提供する。【解決手段】  スプリッタモジュール１は、光信号を分岐させる光スプリッタ２４が収容された下部筐体２と、この下部筐体２上に配置された上部筐体３とを備えている。下部筐体２及び上部筐体３の前端側部分には、４連の出力側アダプタソケット１３，１８を保持する出力側アダプタソケットホルダ１４，１９がそれぞれ上下方向に回動可能に取り付けられている。下部筐体２からは、先端部に入力側コネクタプラグ２１を有するコネクタコード２０が延び出ており、入力側コネクタプラグ２１は、入力側アダプタソケット２２に嵌合されている。そして、この入力側アダプタソケット２２は、下部筐体２に対して複数箇所で脱着可能である入力側アダプタソケットホルダ２３に保持されている。【選択図】  図５
2010122595.tif 000002
【特許請求の範囲】
【請求項１】
入力側光ファイバ心線から入射した光信号を分岐させて複数の出力側光ファイバ心線に出射する光スプリッタを有するスプリッタモジュールにおいて、
前記光スプリッタを収容するモジュール筐体と、
前記モジュール筐体に取り付けられ、前記複数の出力側光ファイバ心線と接続される出力側光ソケットを保持する出力側光ソケットホルダと、
前記モジュール筐体から延び出ると共に、前記入力側光ファイバ心線に接続される入力側光コネクタプラグを先端部に有するコネクタコードと、
前記入力側光コネクタプラグと嵌合する入力側光ソケットと、
前記モジュール筐体に対して複数箇所に脱着可能に取り付けられ、前記入力側光ソケットを保持する入力側光ソケットホルダとを備えることを特徴とするスプリッタモジュール。
【請求項２】
前記モジュール筐体は、下部筐体と、前記下部筐体の上に配置された上部筐体とを有し、
前記下部筐体及び前記上部筐体には、前記出力側光ソケットを保持する前記出力側光ソケットホルダがそれぞれ取り付けられ、
前記光スプリッタは、前記下部筐体及び前記上部筐体の何れか一方に収容されていることを特徴とする請求項１記載のスプリッタモジュール。
【請求項３】
前記上部筐体は、前記下部筐体に対して回動可能に連結されていることを特徴とする請求項２記載のスプリッタモジュール。
【請求項４】
前記出力側光ソケットホルダは、前記モジュール筐体の幅方向に平行な軸を中心として回動可能となるように前記モジュール筐体に取り付けられていることを特徴とする請求項１〜３のいずれか一項記載のスプリッタモジュール。
【請求項５】
前記コネクタコードは、前記モジュール筐体における前記出力側光ソケットホルダの反対側から延び出ていることを特徴とする請求項１〜４のいずれか一項記載のスプリッタモジュール。
【発明の詳細な説明】
【技術分野】
【０００１】
本発明は、光信号を分岐させる光スプリッタを有するスプリッタモジュールに関するものである。
【背景技術】
【０００２】
スプリッタモジュールは、例えば集合住宅等に設置された配線盤内に収容され、架空から引き落とされた光ケーブルにより送られてきた光信号を分岐させて各家庭に伝送するものである。このようなスプリッタモジュールとしては、例えば特許文献１に記載されているように、光ケーブルを分岐して受ける心線受部と、この心線受部で分岐された複数の光ファイバ心線を各光ソケットに接続するコネクタ収納部とを備えた箱形状のスプリッタモジュールが知られている。
【特許文献１】特開２００７―１２１３９８号公報
【発明の開示】
【発明が解決しようとする課題】
【０００３】
上記従来技術のようなスプリッタモジュールは、既築の建物内の配線盤内に備え付けられることが多い。この場合、配線盤内には既に他の機器やケーブル等が収容されているため、スプリッタモジュールに接続される光コードの取り回し（配線）に手間がかかることがある。
【０００４】
本発明の目的は、配線盤内における光コードの取り回しを行い易くすることができるスプリッタモジュールを提供することである。
【課題を解決するための手段】
【０００５】
本発明は、入力側光ファイバ心線から入射した光信号を分岐させて複数の出力側光ファイバ心線に出射する光スプリッタを有するスプリッタモジュールにおいて、光スプリッタを収容するモジュール筐体と、モジュール筐体に取り付けられ、複数の出力側光ファイバ心線と接続される出力側光ソケットを保持する出力側光ソケットホルダと、モジュール筐体から延び出ると共に、入力側光ファイバ心線に接続される入力側光コネクタプラグを先端部に有するコネクタコードと、入力側光コネクタプラグと嵌合する入力側光ソケットと、モジュール筐体に対して複数箇所に脱着可能に取り付けられ、入力側光ソケットを保持する入力側光ソケットホルダとを備えることを特徴とするものである。
【０００６】
このような本発明のスプリッタモジュールにおいては、入力側光コネクタプラグを先端部に有し、モジュール筐体から延び出たコネクタコードと、モジュール筐体に対して複数箇所で脱着可能であり、入力側光コネクタプラグと嵌合する入力側光ソケットを保持する入力側光ソケットホルダとを有することにより、配線盤にスプリッタモジュールを備え付ける際に、入力側光コードがコネクタ接続される入力側光ソケットのプラグ受け口の向きを適宜変更することができる。例えば、入力側光コードが出力側光コードの反対側から導入されるときには、入力側光ソケットのプラグ受け口が出力側光ソケットのプラグ受け口の反対側を向くように入力側光ソケットホルダをモジュール筐体に取り付け、入力側光コードが出力側光コードと同じ方向から導入されるときには、入力側光ソケットのプラグ受け口が出力側光ソケットのプラグ受け口と同じ側になるように入力側光ソケットホルダをモジュール筐体に取り付ける。この場合には、各光ソケットのプラグ受け口が光コードの導入側を向くことになるため、光コードを不要に曲げる必要が無い。これにより、配線盤内における光コードの取り回しが行い易くなる。
【０００７】
好ましくは、モジュール筐体は、下部筐体と、下部筐体の上に配置された上部筐体とを有し、下部筐体及び上部筐体には、出力側光ソケットを保持する出力側光ソケットホルダがそれぞれ取り付けられ、光スプリッタは、下部筐体及び上部筐体の何れか一方に収容されている。この場合には、光スプリッタの分岐数が多くても、スプリッタモジュールの幅寸法を大きくしなくて済み、スプリッタモジュールの小型化を確保することができる。
【０００８】
また、上部筐体は、下部筐体に対して回動可能に連結されていることが好ましい。このような構成では、例えば複数本の出力側光コードが半分ずつ分かれた状態で配線盤内に導入される場合でも、その導入方向に応じて上部筐体を下部筐体に対して回動させることで、各出力側光コードの取り回しが一層行い易くなる。
【０００９】
また、出力側光ソケットホルダは、モジュール筐体の幅方向に平行な軸を中心として回動可能となるようにモジュール筐体に取り付けられていることが好ましい。このような構成では、例えばスプリッタモジュールを配線盤に取り付けたときに、出力側光ソケットホルダを回動させて手前側（前面側）に向けることが可能となる。この場合には、光コードの端部に装着された光コネクタプラグを光ソケットに対して挿抜しやすくなる。
【００１０】
さらに、コネクタコードは、モジュール筐体における出力側光ソケットホルダの反対側から延び出ていることが好ましい。このような構成では、コネクタコードが出力側光ソケットホルダの反対側から延び出るため、入力側光ソケットホルダがモジュール筐体の両側面やモジュール筐体の一端面（出力側光ソケットホルダの反対側の面）に取り付けられる場合において、コネクタコードが最も短くなる構成とすることができる。
【発明の効果】
【００１１】
本発明によれば、配線盤内においてスプリッタモジュールに接続される光コードの取り回しが行い易くなるので、作業性を向上させることができる。
【発明を実施するための最良の形態】
【００１２】
以下、本発明に係るスプリッタモジュールの好適な実施形態について図面を参照して詳細に説明する。
【００１３】
図１及び図２は、本発明に係るスプリッタモジュールの一実施形態の外観を示す斜視図である。各図において、本実施形態のスプリッタモジュール１は、下部筐体２と、この下部筐体２上に配置された上部筐体３とを備えている。
【００１４】
下部筐体２は、図３に示すように、一端側（前端側）が開放された略箱状を有している。下部筐体２は、側壁部４，５と、下部筐体２の他端側（後端側）の後側壁部６とを有している。側壁部４，５及び後側壁部６には、後述する入力側アダプタソケットホルダ２３の凸部２５（図５（ｂ）参照）と嵌合する凹部７が複数（ここでは２つ）ずつ設けられている。この凹部７は、円柱状に形成されており、各側壁部４〜６の両端側に設けられている。また、後側壁部６の略中央部分には、後述するコネクタコード２０を通すための貫通穴８が設けられている。
【００１５】
また、下部筐体２における側壁部４の近傍には、後述する光スプリッタ２５（図８参照）を配置するためのスプリッタ収容部１０が形成されている。下部筐体２における側壁部４と側壁部５との間には、下部筐体２の厚さ方向に平行な軸を中心として上部筐体３が回動可能、つまり上部筐体３を下部筐体２に対して水平方向に回動可能に連結するための筒状部１１が突設されている。側壁部４及び側壁部５の内壁面には、下部筐体２の幅方向に延びる棒状軸部１２が結合されている。
【００１６】
下部筐体２の前端側部分には、４連の出力側アダプタソケット１３を保持する出力側アダプタソケットホルダ１４が取り付けられている。出力側アダプタソケット１３は、光ファイバ心線の端部に装着された光コネクタプラグ（図示せず）と嵌合するソケット部１３ａを両側に４つずつ有し、光ファイバ心線同士を接続するコネクタ部品である。出力側アダプタソケット１３としては、例えばＳＣ型アダプタソケットが用いられる。
【００１７】
出力側アダプタソケットホルダ１４は、下部筐体２の幅方向に平行な軸を中心として回動可能、つまり下部筐体２に対して上下方向に回動可能となるように取り付けられている。具体的には、出力側アダプタソケットホルダ１４の後部に設けられた支持部（図示せず）が下部筐体２の棒状軸部１２と係合することで、出力側アダプタソケットホルダ１４が棒状軸部１２を中心軸として下部筐体２に対して上下方向に回動可能となる。
【００１８】
上部筐体３は、図３に示すように、一端側（前端側）が開放された略箱状を有している。上部筐体３の長手方向の寸法は、下部筐体２の長手方向の寸法よりも短くなっている。上部筐体３は、側壁部１５，１６を有している。また、上部筐体３は、前側部分を除いた領域を覆う蓋部３ａを有している。上部筐体３の幅寸法は、下部筐体２の前側部分の幅寸法と等しくなっている。
【００１９】
上部筐体３の底面には、下部筐体２の筒状部１１に嵌合する突起（図示せず）が設けられている。上部筐体３の前端側部分における側壁部１５，１６の内壁面には、上部筐体３の幅方向に延びる棒状軸部１７が結合されている。
【００２０】
上部筐体３の前端側部分には、４連の出力側アダプタソケット１８を保持する出力側アダプタソケットホルダ１９が取り付けられている。出力側アダプタソケット１８は、上記の出力側アダプタソケット１３と全く同じものであり、ソケット部１８ａを両側に４つずつ有している。出力側アダプタソケットホルダ１９は、上記の出力側アダプタソケットホルダ１４と全く同じものである。
【００２１】
出力側アダプタソケットホルダ１９は、上部筐体３の幅方向に平行な軸を中心として回動可能、つまり上部筐体３に上下方向に回動可能に取り付けられている。出力側アダプタソケットホルダ１９を回動させる構造は、上述した出力側アダプタソケットホルダ１４を回動させる構造と同様である。すなわち、出力側アダプタソケットホルダ１９の後部に設けられた支持部（図示せず）が上部筐体３の棒状軸部１７に係合することで、出力側アダプタソケットホルダ１９が棒状軸部１７を中心軸として上部筐体３に対して上下方向に回動可能となる。
【００２２】
これにより、図４に示すように、出力側アダプタソケットホルダ１４，１９に保持された出力側アダプタソケット１３，１８の各ソケット部１３ａ，１８ａのプラグ受け口を下部筐体２に対して上方に向けることが可能となる。
【００２３】
上部筐体３の底面に設けられた突起（図示せず）が下部筐体２に設けられた筒状部１１内に挿入されることで、上部筐体３が下部筐体２上に配置されることとなる。また、上述したように上部筐体３の長さ寸法は下部筐体２の長さ寸法よりも短いため、下部筐体２の前端位置が上部筐体３の前端位置よりも突出した状態となる。その上部筐体３に対する下部筐体２の突出長さは、下部筐体２に取り付けられた出力側アダプタソケットホルダ１４が上部筐体３に覆われない程度の長さとなっている。
【００２４】
従って、出力側アダプタソケットホルダ１４が下部筐体２に対して上下方向に回動可能であることから、図４に示すように、出力側アダプタソケットホルダ１４に保持された出力側アダプタソケット１３の各ソケット部１３ａのプラグ受け口を下部筐体２に対して上方に向けることが可能となる。
【００２５】
下部筐体２の後側壁部６（出力側アダプタソケットホルダ１４，１９の反対側）からは、貫通穴８を通ってコネクタコード２０が延び出ている。コネクタコード２０は、入力側光ファイバ心線２６（図７参照）を被覆すると共に、その入力側光ファイバ心線２６に接続される入力側コネクタプラグ２１を先端部に有している。この入力側コネクタプラグ２１は、入力側アダプタソケット２２に嵌合される。入力側アダプタソケット２２は、コネクタコード２０の入力側コネクタプラグ２１及び入力側光コードの光コネクタプラグ（図示しない）と嵌合するソケット部２２ａを両側に１つずつ有している。ここでは、入力側アダプタソケット２２としてＳＣ型アダプタソケットが用いられる。
【００２６】
入力側アダプタソケット２２は、入力側アダプタソケットホルダ２３に保持される。入力側アダプタソケットホルダ２３は、側壁部２４を有する断面矩形の筒状の部材である。側壁部２４の一側には、下部筐体２の側壁部４，５及び後側壁部６に設けられた凹部７と嵌合する円柱状の凸部２５（図５（ｂ）参照）が設けられている。この凸部２５により、入力側アダプタソケットホルダ２３は、下部筐体２に対して脱着可能に取り付けられる。これにより、入力側アダプタソケットホルダ２３に保持される入力側アダプタソケット２２のプラグ受け口の方向を適宜変更できる。
【００２７】
具体的には、図５（ａ），（ｂ）を参照しながら説明する。例えば入力側光コードの導入方向が出力側アダプタソケット１３，１８のプラグ受け口の向きと反対である場合には、入力側アダプタソケットホルダ２３の凸部２５を下部筐体２の側壁部５における後端側の凹部７に嵌合することで、図５（ａ）に示すように、入力側アダプタソケット２２のプラグ受け口が出力側アダプタソケット１３，１８のプラグ受け口の反対側を向くことになる。また、例えば入力側光コードの導入方向が下部筐体２の幅方向（図示右側）である場合には、入力側アダプタソケットホルダ２３の凸部２５を下部筐体２の後側壁部６の凹部７に嵌合することで、図５（ｂ）に示すように、入力側アダプタソケット２２のプラグ受け口が下部筐体２の幅方向を向くことになる。なお、下部筐体２の側壁部４においても同様である。
【００２８】
また、入力側アダプタソケットホルダ２３の厚みは、下部筐体２の各側壁部４〜６の高さと略同等となっている。これにより、上部筐体３は、図６に示すように、下部筐体２の筒状部１１を中心として下部筐体２に対して水平方向に３６０度回動可能となっている。なお、上部筐体３は、下部筐体２に対して任意の角度で保持可能な構成となっている。
【００２９】
下部筐体２のスプリッタ収容部１０には、図７に示すように、光信号を複数に分岐（ここでは８分岐）させる光スプリッタ２５が収容・固定されている。光スプリッタ２５の一端には、入力側光ファイバ心線２６が接続され、光スプリッタ２５の他端には、複数本（ここでは８本）の出力側光ファイバ心線２７が接続されている。これにより、入力側光ファイバ心線２６から入射した光信号は、光スプリッタ２５により分岐されて各出力側光ファイバ心線２７に出射されるようになる。
【００３０】
入力側光ファイバ心線２６は、下部筐体２よりも外側がコネクタコード２０に被覆され、その先端部には入力側コネクタプラグ２１が装着されている。入力側コネクタプラグ２１は、入力側ソケットホルダ２２の一側のソケット部２２ａに嵌合されている。各出力側光ファイバ心線２７の先端部には出力側コネクタプラグ２８が装着され、これらの出力側コネクタプラグ２８は、出力側アダプタソケット１３，１８の一側（筐体内側）の各ソケット部１３ａ，１８ａにそれぞれ嵌合されている。
【００３１】
以上のように構成されたスプリッタモジュール１は、集合住宅等の建物内の壁に設置された主配線盤や分電盤等（以下、まとめて配線盤）に備え付けられる。具体的には、例えば配線盤内の所定のスペースにスプリッタモジュール１を取り付け、入力側光コードを入力側アダプタソケット２２の他側のソケット部２２ａにコネクタ接続し、複数本の出力側光コードを出力側アダプタソケット１３，１８の他側（筐体外側）の各ソケット部１３ａ，１８ａにそれぞれコネクタ接続する。
【００３２】
このとき、配線盤内に既に他の機器やケーブル等が数多く収容されている場合には、スプリッタモジュール１を取り付けるための収容スペースの確保が難しくなり、これに伴ってスプリッタモジュール１の取り扱いや光コードの取り回し（配線）が困難になることがある。
【００３３】
しかし、本実施形態のスプリッタモジュール１は、下部筐体２及び上部筐体３を有する上下２段構造となっているので、光スプリッタ２５の分岐数が多いにも拘わらずスプリッタモジュール１の幅寸法が小さく、スプリッタモジュール１の小型化が図られている。このため、例えば配線盤内の収容スペースが限られていても、スプリッタモジュール１を取り付けることが可能となる。
【００３４】
また、スプリッタモジュール１は、入力側コネクタプラグ２１を先端部に有し、下部筐体２から延び出たコネクタコード２０と、下部筐体２に対して複数箇所で脱着可能であり、入力側コネクタプラグ２１と嵌合する入力側アダプタソケット２２を保持する入力側アダプタソケットホルダ２３とを有することにより、入力側アダプタソケット２２のプラグ受け口の向きを必要に応じて適宜調整することができる。
【００３５】
例えば、入力側光コード及び出力側光コードが同じ側から配線盤内に導入される場合には、図１及び図２に示すように、入力側アダプタソケットホルダ２３を下部筐体２の側壁部５における前端側の凹部７に嵌合するように取り付けることで、入力側光コードとコネクタ接続される入力側アダプタソケット２２のプラグ受け口を、出力側光コードとコネクタ接続される出力側アダプタソケット１３，１８のプラグ受け口の同じ側に向けるようにする。
【００３６】
また、入力側光コード及び出力側光コードが反対側から配線盤内に導入される場合には、図５（ａ）に示すように入力側アダプタソケットホルダ２３を下部筐体２の側壁部５における後端側の凹部７に嵌合するように取り付けることで、入力側光コードとコネクタ接続される入力側アダプタソケット２２のプラグ受け口を、出力側光コードとコネクタ接続される出力側アダプタソケット１３，１８のプラグ受け口と反対側に向けるようにする。
【００３７】
例えば出力側アダプタソケット１３，１８が下側となるようにスプリッタモジュール１を配線盤に取り付ける場合には、例えば図５（ａ）に示すように入力側アダプタソケット２２が上側に位置していると、配線盤内に導入された入力側光コードを入力側アダプタソケット２２にコネクタ接続するためには、入力側光コードをＵ字状に曲げる必要がある。このとき、スプリッタモジュール１が配線盤の左側隅部に取り付けられている場合には、下側から導入された入力側光コードを入力側アダプタソケット２２にコネクタ接続できないことがある。また、たとえ入力側光コードを入力側アダプタソケット２２にコネクタ接続できたとしても、入力側光コードを無理に曲げることになるので、入力側光コードを損傷させてしまう。従って、そのような場合には、入力側アダプタソケット２２のプラグ受け口を出力側アダプタソケット１３，１８のプラグ受け口と同じ側に向けることにより、配線盤内に導入された入力側光コードを無理に曲げなくても、入力側光コードを入力側アダプタソケット１１にコネクタ接続することができる。
【００３８】
また、例えば出力側光コードが下側から配線盤内に導入され、入力側光コードが横側（右側）から配線盤内に導入される場合に、配線盤内に十分な収容スペースがあるときは、図５（ｂ）に示すように入力側アダプタソケットホルダ２３を下部筐体２の後側壁部６における凹部７に嵌合するように取り付けることで、入力側光コードとコネクタ接続される入力側アダプタソケット２２のプラグ受け口を、出力側光コードとコネクタ接続される出力側アダプタソケット１３，１８のプラグ受け口に対して垂直に向けるようにする。
【００３９】
このように配線盤内の機器やケーブル等の収容状況に応じて入力側アダプタソケット２２のプラグ受け口の向きを自由に変えることができるので、入力側光コードの不要な引き回しを行うことなく、入力側光コードを入力側アダプタソケット２２に容易にコネクタ接続することができる。これにより、配線盤内における入力側光コード及び出力側光コードの取り回し（配線）が行いやすくなるため、スプリッタモジュール１の備え付けの作業性を向上させることができる。
【００４０】
また、例えば出力側アダプタソケット１３，１８が下側となるようにスプリッタモジュール１を配線盤に取り付ける場合には、図４に示すように出力側アダプタソケットホルダ１４，１９を下部筐体２及び上部筐体３に対して上側に回動させることで、出力側アダプタソケット１３，１８のプラグ受け口を手前側に向けるようにする。これにより、出力側光コードの先端部に装着された光コネクタプラグを出力側アダプタソケット１３，１８に対して挿入・抜去しやすくなる。従って、スプリッタモジュール１の備え付けの作業性を一層向上させることができる。
【００４１】
さらに、例えば複数本の出力側光コードが１本ずつ並んで配線盤内に導入されたり、所定本ずつ２つに分かれて配線盤内に導入される場合には、図６に示すように上部筐体３を下部筐体２に対して左右に回動させることにより、出力側光コードの不要な取り回しを行わずに、出力側光コードの先端部に装着された光コネクタプラグを出力側アダプタソケット１３，１８に対して挿入することができる。また、例えば各出力側光コードがまとまって配線されていると、これらの出力側光コードに負荷（剛性）がかかるため、上部筐体３を下部筐体２に対して左右に回動させることで、各出力側光コードにかかる負荷を分散（軽減）させることもできる。
【００４２】
また、上部筐体３の長さ寸法は下部筐体２の長さ寸法よりも短いため、下部筐体２の前端位置が上部筐体３の前端位置よりも突出している。そのため、下部筐体２に取り付けられた出力側アダプタソケットホルダ１４が上部筐体３に覆われることが無く、当該出力側アダプタソケットホルダ１４を下部筐体２に対して上下方向に回動させることが可能となる。
【００４３】
なお、本発明は、上記実施形態に限定されるものではない。例えば上記実施形態では、コネクタコード２０が下部筐体２から延び出ているが、コネクタコード２０が上部筐体３から延び出る構造としても良い。この場合には、入力側アダプタソケット２２と光スプリッタ２５とを接続する入力側光ファイバ心線２６を短くするために、光スプリッタ２５を上部筐体３内に収容するのが望ましい。
【００４４】
また、上記実施形態では、下部筐体２に入力側アダプタソケットホルダ２３と嵌合するための凹部７を設けたが、凹部７は上部筐体３に設けられてもよい。
【００４５】
さらに、上記実施形態のスプリッタモジュール１は、上部筐体３及び下部筐体２を有する上下２段構造となっているが、光スプリッタ２５の分岐数が少ない場合（上記実施形態では４分岐の場合）には、特にスプリッタモジュールの筐体（モジュール筐体）を２段構造とせずに１つとしても良い。
【図面の簡単な説明】
【００４６】
【図１】本発明に係るスプリッタモジュールの一実施形態の外観を示す斜視図である。
【図２】図１に示したスプリッタモジュールを反対側から見たときの外観を示す斜視図である。
【図３】図１及び図２に示した下部筐体及び上部筐体の分解斜視図である。
【図４】図１に示した出力側アダプタソケットホルダを筐体に対して上方に回動させた状態を示す斜視図である。
【図５】図１に示した入力側アダプタソケットホルダの取り付け位置を変えた状態を示す斜視図である。
【図６】図１に示した上部筐体を下部筐体に対して左方に回動させた状態を示す斜視図である。
【図７】図１に示した下部筐体の内部の配線状態を示す平面図である。
【符号の説明】
【００４７】
１…スプリッタモジュール、２…下部筐体（モジュール筐体）、３…上部筐体（モジュール筐体）、１３…出力側アダプタソケット（出力側光ソケット）、１４…出力側アダプタソケットホルダ（出力側ソケットホルダ）、１８…出力側アダプタソケット（出力側光ソケット）、１９…出力側アダプタソケットホルダ（出力側ソケットホルダ）、２０…コネクタコード、２１…入力側コネクタプラグ（入力側光コネクタプラグ）、２２…入力側アダプタソケット（入力側光ソケット）、２３…入力側アダプタソケットホルダ（入力側光ソケットホルダ）、２５…光スプリッタ、２６…入力側光ファイバ心線、２７…出力側光ファイバ心線。
【図１】
2010122595.tif 000003
【図２】
2010122595.tif 000004
【図３】
2010122595.tif 000005
【図４】
2010122595.tif 000006
【図５】
2010122595.tif 000007
【図６】
2010122595.tif 000008
【図７】
2010122595.tif 000009